(57)【特許請求の範囲】
【請求項１】
サーバ装置と、１又は複数のユーザ端末と、からなるコンテンツ視聴システムにおいて、
前記ユーザ端末は、
コンテンツ視聴の前後のユーザの心理状態を入力する入力手段と、
前記サーバ装置に蓄積された記述データを受信する受信手段と、
前記入力手段から入力されたユーザのコンテンツ視聴前の心理状態から、コンテンツ視聴後にユーザが希望する心理状態毎に分類したコンテンツリストを、前記サーバ装置から受信した記述データより作成するコンテンツリスト作成手段と、
前記作成されたコンテンツリストをユーザに提示する提示手段と、
前記入力手段から入力されたコンテンツ視聴後のユーザの心理状態の評価データを前記サーバ装置に送信する送信手段と、
を具備し、
前記サーバ装置は、
１又は複数の前記ユーザ端末から送信されたユーザのコンテンツ視聴後の心理状態の評価データを受信する受信手段と、
該受信した評価データから、コンテンツ毎にコンテンツ視聴の前後でのユーザの心理状態の変化を記述した記述データを作成又は更新して蓄積する蓄積手段と、
該蓄積された記述データを前記ユーザ端末に送信する送信手段と、
を具備する、
ことを特徴とするコンテンツ視聴システム。
【請求項２】
請求項１に記載のコンテンツ視聴システムにおいて、前記コンテンツリスト作成手段は、コンテンツリストを階層的に作成することを特徴とするコンテンツ視聴システム。
【請求項３】
請求項１又は請求項２に記載のコンテンツ視聴システムにおいて、前記記述データは、複数の項目から構成され、該項目を前記評価データの評価項目とすることを特徴とするコンテンツ視聴システム。
【請求項４】
請求項１乃至請求項３の何れかに記載のコンテンツ視聴システムにおいて、前記コンテンツリスト作成手段は、コンテンツリストの件数を調整できることを特徴とするコンテンツ視聴システム。
【請求項５】
請求項１乃至請求項４の何れかに記載のコンテンツ視聴システムにおいて、前記蓄積手段は、予め定められた所定の条件を満たした場合、前記記述データを更新することを特徴とするコンテンツ視聴システム。
【請求項６】
請求項５に記載のコンテンツ視聴システムにおいて、前記予め定められた所定の条件は、一定時間の経過であることを特徴とするコンテンツ視聴システム。
【請求項７】
請求項５に記載のコンテンツ視聴システムにおいて、前記予め定められた所定の条件は、一定数の評価データの収集完了であることを特徴とするコンテンツ視聴システム。
【請求項８】
請求項１に記載のコンテンツ視聴システムにおいて、前記サーバ装置が放送局によるものであることを特徴とするコンテンツ視聴システム。
【請求項９】
請求項１に記載のコンテンツ視聴システムにおいて、前記サーバ装置がビデオオンデマンドシステムの一部であることを特徴とするコンテンツ視聴システム。
【請求項１０】
請求項１に記載のコンテンツ視聴システムにおいて、前記コンテンツが広告であることを特徴とするコンテンツ視聴システム。
【発明の詳細な説明】
【０００１】
【発明の属する技術分野】
本発明は、ユーザの動的状態に応じたコンテンツリストを提供するコンテンツリスト表示システムに関する。
【０００２】
【従来の技術】
視聴者の気分に応じてコンテンツリストを提示するための受信端末装置に関し、以下のような従来例がある。
【０００３】
特開平１０−４２２３９号公報によれば、ユーザが希望する気分となるのに適性なコンテンツ案内画面を提示する技術が記載されている。特開平９−４６６８９号公報、特開平１０−２４３３０９号公報、特開平１０−４２２３９号公報によれば、コンテンツの記述データの中に気分を表現する項目を設け、それらを用いることでユーザの気分に応じたコンテンツリストを提示する技術が記載されている。また、特開平６−１２４３０９号公報によればユーザの嗜好を気分毎に複数保持することにより、ユーザが入力した気分に応じてコンテンツリストを提供する技術が記載されている。
【０００４】
【発明が解決しようとする課題】
しかしながら、上述の特開平９−４６６８９号公報、特開平１０−２４３３０９号公報、特開平１０−４２２３９号公報の装置のように、コンテンツ全体に一時的な気分の評価情報を付加するだけではコンテンツ視聴前後の気分の変化に促したコンテンツリストを提示することが困難であるという問題を有している。また、特開平６−１２４３０９号公報の装置のようにユーザの嗜好を気分毎に複数保持するという方法では、ユーザが自らの嗜好情報を管理する手間やユーザに提供するコンテンツリストを作成する手間が大幅に増大してしまうという問題点を有している。
【０００５】
本発明は、そのような状況に鑑みてなされたもので、ユーザが視聴前の気分を入力することで視聴後に希望する気分に応じたコンテンツリストを容易に提示することができるようにするものである。
【０００６】
【課題を解決するための手段】
上記課題を解決するため、本発明は以下のような技術的手段を講じた。
【０００７】
即ち、本発明にかかるコンテンツ視聴システムは、サーバ装置と、１又は複数のユーザ端末と、からなるコンテンツ視聴システムであって、前記ユーザ端末は、コンテンツ視聴の前後のユーザの心理状態を入力する入力手段と、前記サーバ装置に蓄積された記述データを受信する受信手段と、前記入力手段から入力されたユーザのコンテンツ視聴前の心理状態から、コンテンツ視聴後にユーザが希望する心理状態毎に分類したコンテンツリストを、前記サーバ装置から受信した記述データより作成するコンテンツリスト作成手段と、前記作成されたコンテンツリストをユーザに提示する提示手段と、前記入力手段から入力されたコンテンツ視聴後のユーザの心理状態の評価データを前記サーバ装置に送信する送信手段と、  を具備し、前記サーバ装置は、１又は複数の前記ユーザ端末から送信されたユーザのコンテンツ視聴後の心理状態の評価データを受信する受信手段と、該受信した評価データから、コンテンツ毎にコンテンツ視聴の前後でのユーザの心理状態の変化を記述した記述データを作成又は更新して蓄積する蓄積手段と、該蓄積された記述データを前記ユーザ端末に送信する送信手段と、を具備することを特徴とするものである。
【０００８】
ここで、前記コンテンツリスト作成手段は、コンテンツリストを階層的に作成するようにしても良い。
【０００９】
また、前記記述データは、複数の項目から構成され、該項目を前記評価データの評価項目とするようにしても良い。
【００１０】
また、前記コンテンツリスト作成手段は、コンテンツリストの件数を調整できるようにしても良い。
【００１１】
また、前記蓄積手段は、予め定められた所定の条件を満たした場合、前記記述データを更新するようにしても良い。
【００１２】
ここで、前記予め定められた所定の条件は、一定時間の経過であるようにしても良い。
【００１３】
また、前記予め定められた所定の条件は、一定数の評価データの収集完了であるようにしても良い。
【００１４】
尚、前記サーバ装置が放送局によるものであっても良い。
【００１５】
また、前記サーバ装置がビデオオンデマンドシステムの一部であっても良い。
【００１６】
加えて、前記コンテンツが広告であっても良い。
【００３２】
【発明の実施の形態】
本発明によるユーザの動的状態に応じたコンテンツ視聴システムの実施形態の一例を２つの実施形態で以下に説明する。
（実施の形態１）
本発明によるユーザの動的状態に応じたコンテンツリスト表示システムの実施形態の一例を図１乃至図９に基づいて以下に説明する。
【００３３】
図１は、本発明によるユーザのコンテンツ視聴前後の気分に応じたコンテンツリスト提示装置の実施形態例における構成の一例であり、サーバ装置１００、サーバ受信部１１０、サーバ蓄積部１２０、評価データ１２１、記述データ１２２、記述データ更新部１３０、サーバ送信部１４０、ユーザ端末２００、ユーザ受信部２１０、ユーザ蓄積部２２０、記述データ２２１、コンテンツリスト作成部２３０、出力部２４０、入力部２５０、評価作成部２６０、ユーザ送信部２７０から本システムは構成される。サーバ送信部１４０はサーバ蓄積部１２０中の記述データ１２２をユーザ端末２００に送信する。ユーザ端末２００では、サーバ装置１００より送信された記述データ１２２をユーザ受信部２１０にて受信し、これをユーザ蓄積部２２０に記述データ２２１として蓄積する。
【００３４】
図２はユーザが視聴前の気分を入力してからコンテンツの視聴を終えてシステムの利用を終了するまでのフロー図であり、図３はコンテンツ視聴前後の気分を選択するための画面である。コンテンツ視聴前後の気分に応じたコンテンツリスト提示を受けるため、ユーザは手順Ｓ１０１の“視聴前の気分を入力”を行うため、入力部２５０にて気分選択画面を通じて自分の現在の気分すなわち、視聴前の気分を入力する。
【００３５】
入力部２５０は入力された視聴前の気分データをコンテンツリスト作成部２５０に渡す。手順Ｓ１０２において、コンテンツリスト作成部２３０は入力部２５０から受け取った視聴前の気分データと記述データ２２１とから視聴後の気分毎にコンテンツをソートし、出力部２５０は視聴後の気分毎のコンテンツリストを視聴者に提示する。ソートの方法を図５のコンテンツリストの表示例と図６の記述データの例に基づいて以下に記す。「８０％」５０１という数値は「タイトル１」５０２を視聴前に「哀」５０３の気分だった人の８０％が「喜」５０４の気分に変化したということを示すものである。
【００３６】
図６は「タイトル１」６０１を視聴して「哀」６０２の気分から「楽」６０３の気分になった人数が「２０」６０４であることを示している。「単位」６０９は「人数」６０８に替えて「割合」として、その「気分変化」が全体に占める割合を示しても良い。コンテンツリスト作成部２３０では入力部２５０にて入力された視聴前の気分から視聴後の気分になる割合が高い順に記述データをソートする。また、視聴前の気分もしくは視聴後の気分のいずれか一方のみを用いても良い。
【００３７】
例えばユーザが選択した視聴前の気分が「哀」であれば視聴前気分６０６が「哀」である「気分変化」６０５中の「値」６０７を合計した値の大きい順にソートを行う。コンテンツリスト作成部２３０はソートしたコンテンツリストを出力部２４０に渡し、出力部２４０ではこれをユーザに提示する。この際、表示するコンテンツの件数をユーザが指定できても良い。
【００３８】
また、アプリケーションの設定により予め表示するコンテンツの件数を指定しておくことも考えられる。手順Ｓ１０３においてユーザは提示された視聴後の気分毎のコンテンツリストを基に視聴したいコンテンツを選択する。手順Ｓ１０４にてユーザは選択したコンテンツの視聴を行う。手順Ｓ１０５にて入力部２５０から気分選択画面を通じて視聴後の気分を入力する。この例では、喜怒哀楽の４項目を選択することになっているが記述データ中で指定された評価項目を用いることも考えられる。
【００３９】
図８はその手順を示したものでありユーザがコンテンツの視聴を追えた後、評価項目作成部２６０は手順Ｅ１０１にて記述データ２２１に記載されている評価項目を取得する。手順Ｅ１０２にて取得した評価項目を出力部２４０へ渡し、手順Ｅ１０３でユーザは視聴後のコンテンツ評価を入力する。手順Ｅ１０４では入力されたコンテンツ評価が評価データとしてユーザ送信部２７０に渡され、サーバ受信部１１０へと送信される。視聴後の気分データを受け取ったサーバ受信部１１０はサーバ蓄積部１２０中の記述データ１２２へこれを逐次反映する。定期的にもしくは一定数量の評価データが集まったら、複数の評価データをまとめて記述データに反映することも考えられる。
【００４０】
図９はその手順を示したものであり、サーバ受信部１１０は手順Ｕ１０１において評価データをユーザ送信部２７０から受信し、手順１０２において評価データをサーバ蓄積部１２０に評価データ１２１として保存する。手順Ｕ１０３において、記述データへの反映を行う定期的な時刻であるもしくは一定数の評価データが集まったという反映条件が満たされていれば記述データへの反映を行い評価データの受信待機に戻る。反映条件が満たされていなければそのまま評価データの受信待機に戻る。図７はＮ人のユーザを仮定した場合の構成図であり、サーバ装置１００はＮ台のユーザ端末２００からの視聴後気分データを受信することとなる。
【００４１】
なおここでは単純に喜怒哀楽の４つの気分を用いているが、図４は気分の階層的な細分化がなされている場合を考えた画面例である。この場合、気分選択画面において上位の気分（ここでは「哀」４０１の気分と仮定する）を選択した際に、下位の気分（ここでは「辛い」、「不安」４０２の気分と仮定する）が提示され、より細分化された気分の入力が可能となる。手順Ｓ１０６ではユーザがまだ当システムの利用を続けたければ“Ｙｅｓ”を選択し手順Ｓ１０１の視聴前気分選択に戻り、Ｓ１０１からＳ１０６までの手順を繰り返す。本システムの利用を終える場合手順Ｓ１０６にて“Ｎｏ”を選択して終了となる。
（実施の形態２）
本発明によるユーザの動的状態に応じたコンテンツリスト表示から実際にユーザがコンテンツを取得するための実施例を図１０乃至図１２に基づいて以下に説明する。
【００４２】
図１０は通信からのコンテンツ取得のための構成図である。
【００４３】
サーバ装置１００、ユーザ端末２００、コンテンツ提供装置３００で構成されている。実施の形態１から新たにコンテンツ提供装置３００が追加されている。サーバ装置１００は、サーバ受信部１１０、サーバ蓄積部１２０、評価データ１２１、記述データ１２２、記述データ更新部１３０、サーバ送信部１４０で構成されている。実施の形態１と構成は同じである。
【００４４】
ユーザ端末２００は、ユーザ受信部２１０、ユーザ蓄積部２２０、記述データ２２１、ユーザコンテンツ格納部２２２、コンテンツリスト作成部２３０、画像合成部２３１、出力部２４０、入力部２５０、評価作成部２６０、取得コンテンツ決定部２６１、ユーザ送信部２７０で構成されている。実施の形態１との差異は、ユーザコンテンツ格納部２２２、画像合成部２３１、取得コンテンツ決定部２６１が追加されている点である。コンテンツリスト作成部２３０で作成されたリストからユーザが入力部２５０で視聴したいコンテンツを入力すると、取得コンテンツ決定部２６１が記述データに書かれたコンテンツリファレンス情報を決定し、コンテンツ提供装置３００かユーザコンテンツ格納部２２２にあるコンテンツを画像合成部２３１で合成して出力部２４０に表示する。
【００４５】
コンテンツ提供装置３００は、送受信部３１０、コンテンツ取得部３２０、コンテンツ格納部３３０で構成されている。
【００４６】
図１１は通信からのコンテンツ取得処理フローである。
【００４７】
手順Ｚ１０１において、サーバ装置１００でコンテンツに対する視聴前後の気分変化を含むコンテンツ記述データが作成されると、手順Ｚ１０２において、サーバ送信部１４０、ユーザ受信部２１０を介してユーザ蓄積部２２０に記述データが送信される。手順Ｚ１０３では入力部２５０から視聴前の気分を入力する。手順Ｚ１０２、手順Ｚ１０３を経ると、手順Ｚ１０４において、コンテンツリスト作成部２３０で作成したコンテンツリストを画像合成部２３１を介して出力部２４０に表示する。ユーザが視聴したいコンテンツを決定すると、手順Ｚ１０５において、取得コンテンツ決定部２６１が記述データに書かれたコンテンツリファレンス情報を決定し、所望するコンテンツがコンテンツ提供装置３００にある場合はユーザ送信部２７０、送受信部３１０を介してコンテンツ取得部３２０へコンテンツリファレンス情報を送信する。
【００４８】
所望するコンテンツがユーザコンテンツ格納部２２２にある場合は手順Ｚ１０５、Ｚ１０６、Ｚ１０７を介さず手順Ｚ１０８へ遷移する。手順Ｚ１０６において、コンテンツ格納場所を照会する。手順Ｚ１０６の詳細は図１１を用いて後述する。手順Ｚ１０６において送信するコンテンツが決定すると手順Ｚ１０７において、送受信部３１０、ユーザ受信部２１０を介してユーザコンテンツ格納部２２２へ所望されたコンテンツが送信される。ここに手順Ｚ１０８の視聴へ移るわけだが、手順Ｚ１０７で送信されるコンテンツはユーザコンテンツ格納部２２２を介さず、ユーザ受信部２１０から画像合成部２３１へ移ってもよい。すなわち、コンテンツを蓄積することなく、ストリーミングでコンテンツを視聴することもできる。
【００４９】
手順Ｚ１０８において、画像合成部２３１、出力部２４０を介して表示されたコンテンツを視聴した後、手順Ｚ１０９において、入力部２５０を介してコンテンツに対する評価を入力する。入力されたデータは評価作成部２６０にて評価更新用の記述データフォーマットの中に入力した評価の値を入れる。手順Ｚ１１０において、手順Ｚ１０９で作成されたデータはユーザ送信部２７０、サーバ受信部１１０を介してサーバ蓄積部１２０に蓄積されると、手順Ｚ１１１において、記述データ更新部１３０は逐次または定期的にまたは一定数量の評価データが集まったタイミングで評価データ１２１を集計し、記述データ１２２に更新する。
【００５０】
このとき、記述データ１２２は手順Ｚ１１１で更新されるものの他に、新たなコンテンツがコンテンツ格納部３３０に格納された場合にそのコンテンツのコンテンツコンテンツリファレンス情報も更新するものとする。こうして更新された記述データ１２２は手順Ｚ１２２において、ユーザ端末に定期的またはユーザからの取得要求にしたがいユーザ蓄積部２２０に蓄積され、手順Ｚ１０３からの一連の手順を繰り返す。
【００５１】
つぎに図１２を用いて手順Ｚ１０６の詳細な説明をする。
【００５２】
図１２はコンテンツリファレンスのアドレス解決処理フローである。
【００５３】
手順Ｒ１０１において、送受信部３１０がコンテンツ照会情報を受信すると、手順Ｒ１０２において、コンテンツ取得部３２０はコンテンツ照会情報とコンテンツ格納場所情報の関連付けを行なう。
【００５４】
コンテンツ取得部では、受信したコンテンツリファレンス情報ＣＲＩＤ：／／ｎｈｋ．ｃｏｍ；ｎｅｗｓ／Ｎｅｗｓ７などから、実際にコンテンツ格納部３３０のコンテンツを指定する情報ａｒｉｂ：ｃｈａｎｎｅｌ１１＠１９：００などを決定することを行なっている。
【００５５】
最後に手順Ｒ１０３において、指定されたコンテンツ情報をもとにコンテンツ格納部３３０にあるコンテンツを取得する。
【００５６】
上述してきたサーバ装置とコンテンツ提供は、既存のインフラで対応可能なことと、ユーザ端末からのアクションが不要な点で優位な放送局であってもよく、ユーザ端末とのインタラクティブ性と、タイムスケジュールにとらわれないサービス提供が可能な点で優位なインターネットサービスプロバイダであってもよい。その組み合わせは４通りある。
【００５７】
また、コンテンツには放送番組、インターネットコンテンツ、それに付随する広告がある。
【００５８】
【発明の効果】
上記にて説明された本発明により以下の効果がもたらされる。
【００５９】
本発明に係るコンテンツ視聴システムは、上述したような構成としているので、視聴前のユーザ状態に応じて視聴後のユーザ状態毎のコンテンツリストを提示することが可能となる。また、複数のユーザ状態変化データに基づいたコンテンツリストを提示することが可能となる。
【００６１】
本発明に係るコンテンツ視聴システムは、上述したような構成としているので、多数のユーザからのユーザ状態変化データを反映した信頼性の高い記述データをユーザに提供することが可能となる。
【００６２】
本発明に係るコンテンツ視聴システムは、上述したような構成としているので、コンテンツ毎に評価項目を替えることにより適切なコンテンツ評価を行うことが可能となる。
【００６３】
本発明に係るコンテンツ視聴システムは、上述したような構成としているので、ユーザが必要としている以上の冗長な推薦コンテンツ情報を省くことが可能となる。
【００６４】
本発明に係るコンテンツ視聴システムは、上述したような構成としているので、複数の評価データをまとめて記述データに反映することが可能となる。
【００６５】
本発明に係るコンテンツ視聴システムは、上述したような構成としているので、記述データの更新を自動的に行うことが可能となる。
【００６６】
本発明に係るコンテンツ視聴システムは、上述したような構成としているので、評価が集まり評価データの信頼性が高いと判断する時点で評価データを利用可能にすることが可能となる。
【００６７】
本発明に係るコンテンツ視聴システムは、上述したような構成としているので、多数のユーザからの評価データを収集を選択することが可能となる。
【００６８】
本発明に係るコンテンツ視聴システムは、上述したような構成としているので、ユーザからのユーザ状態変化データを継続的に反映した信頼性の高い記述データをユーザに提供することが可能となる。
【００６９】
本発明に係るコンテンツ視聴システムは、上述したような構成としているので、ユーザの動的状態に応じた広告を提供することが可能となる。
【図面の簡単な説明】
【図１】本発明によるユーザのコンテンツ視聴前後の気分に応じたコンテンツリスト提示装置の一実施形態例を示す機能ブロック図である。
【図２】ユーザが視聴前の気分を入力してからコンテンツの視聴を終えてシステムの利用を終了するまでのフロー図である。
【図３】コンテンツ視聴前後の気分を選択するための画面である。
【図４】気分が階層的に細分化されていた場合の気分を選択するための画面である。
【図５】コンテンツ視聴前後の気分に促したコンテンツリストの画面である。
【図６】本発明を実現するためのメタデータの例である。
【図７】サーバがユーザからの視聴後気分データを収集する構成図である。
【図８】コンテンツ評価項目の作成から評価データの送信を行うまでのフロー図である。
【図９】評価データを受信してから記述データを更新するまでのフロー図である。
【図１０】実施の形態２によるコンテンツ提供装置からのコンテンツ取得のための構成図である。
【図１１】実施の形態２によるコンテンツ取得処理フロー図である。
【図１２】実施の形態２によるアドレス解決処理フロー図である。
【符号の説明】
１００  サーバ装置
１１０  サーバ通信部
１２０  サーバ蓄積部
１２１  コンテンツデータ
１２２  記述データ
２００  ユーザ端末
２１０  ユーザ通信部
２２０  ユーザ蓄積部
２２１  記述データ
２２２  ユーザコンテンツ格納部
２３０  入力部
２３１  画像合成部
２４０  ソート部
２５０  出力部
２６１  取得コンテンツ決定部
３００  コンテンツ提供装置
３１０  送受信部
３２０  コンテンツ取得部
３３０  コンテンツ格納部
【図１】
0003723777.tif 000002
【図２】
0003723777.tif 000003
【図３】
0003723777.tif 000004
【図４】
0003723777.tif 000005
【図５】
0003723777.tif 000006
【図６】
0003723777.tif 000007
【図７】
0003723777.tif 000008
【図８】
0003723777.tif 000009
【図９】
0003723777.tif 000010
【図１０】
0003723777.tif 000011
【図１１】
0003723777.tif 000012
【図１２】
0003723777.tif 000013